(57)【要約】【課題】文字情報などのＯＳＤ画面のサイズを縮小するための専用のスケーリング手段を持つことなく、ＯＳＤ画面と映像とをマルチ画面表示し得る画像合成装置を提供する。【解決手段】第２スイッチ１２から映像信号をそれぞれ入力して画面サイズを変更し得る第１スケーラ９および第２スケーラ１７からの映像信号を、マルチ画面形成部１８に入力してマルチ画面を形成する装置において、第２スイッチ１２と第１スケーラ９との途中に、第２スイッチ１２からの映像信号とＯＳＤ画面形成部１４からのＯＳＤ画面信号とのいずれかを第１スケーラ９に入力するための切替スイッチ１３を具備したものである。【選択図】      図１
2005184705.tif 000002
【特許請求の範囲】
【請求項１】
画像表示部に映像とともに文字などの情報を表示するための画像合成装置であって、
第１の映像信号および情報信号のいずれかを選択して出力する切替手段と、
この切替手段から入力された第１の映像または情報の画面サイズを拡大または縮小処理により変更して出力する第１の映像処理手段と、
第２の映像を入力して拡大または縮小処理により映像の画面サイズを変更して出力する第２の映像処理手段と、
文字などの情報信号を、上記第１の映像信号または第２の映像信号に同期して生成する情報画面形成手段と、
上記第１の映像処理手段により画面サイズが変更された第１の映像および上記第２の映像処理手段により画面サイズが変更された第２の映像を入力して、マルチ画面を形成して出力するマルチ画面形成手段とを備え、
上記情報画面形成手段においては、第１の映像信号または第２の映像信号の同期信号に同期して上記切替手段に切替信号を出力するようになし、
上記第１の映像と第２の映像とをマルチ画面表示しているときに情報画面を表示させる場合、または第２の映像だけを表示しているときに情報画面を表示させる場合には、上記切替手段にて情報信号を第１の映像処理手段に出力して、上記マルチ画面形成手段により、情報画面と第２の映像とをマルチ画面表示させるようにしたことを特徴とする画像合成装置。
【請求項２】
画像表示部に映像とともに文字などの情報を表示するための画像合成装置であって、
第１の映像信号および情報信号のいずれかを選択して出力する切替手段と、
この切替手段から入力された映像または情報の画面サイズを拡大または縮小処理により変更して出力する第１の映像処理手段と、
第２の映像を入力して拡大または縮小処理により映像の画面サイズを変更して出力する第２の映像処理手段と、
文字などの情報信号を、上記第１の映像または第２の映像に同期して生成する情報画面形成手段と、
上記第１の映像処理手段により画面サイズが変更された映像および上記第２の映像処理手段により画面サイズが変更された映像を入力して、マルチ画面を形成して出力するマルチ画面形成手段とを備え、
上記情報画面形成手段においては、第１の映像信号または第２の映像信号の同期信号に同期して、上記切替手段に切替信号を出力するようになし、
上記切替手段においては、上記切替信号に従って第１の映像信号と情報信号とを切り替えて出力するようになし、
上記第１の映像処理手段においては、上記切替信号が第１の映像信号期間を示す場合には、第１の映像のスケール係数によって当該映像のサイズを変更して出力するようになし、上記切替信号が情報信号期間を示す場合には、情報画面のスケール係数によって当該情報の画面サイズを変更して出力するようになし、
上記マルチ画面形成手段においては、第１の映像および情報画面と、第２の映像とをマルチ画面に形成するようにしたことを特徴とする画像合成装置。
【請求項３】
第１の映像処理手段においては、切替手段から入力される第１の映像信号または情報信号の入力とは異なる信号経路により入力された第１の映像に係る同期信号を検出するようにしたことを特徴とする請求項１または２に記載の画像合成装置。
【請求項４】
マルチ画面形成手段においては、画面サイズが変更された第１の映像および画面サイズが変更された情報並びに上記画面サイズが変更された第２の映像データを、一時的に保持する記憶部を有するとともに、この記憶部から映像データを読み出して合成するようにしたことを特徴とする請求項１または２に記載の画像合成装置。
【請求項５】
マルチ画面形成手段においては、映像データに情報画面を重ね合わせる際に、映像データの一部のビットを情報画面データであることを示す情報ビットに置き換えるか、または新しく情報ビットを設けることにより、情報ビットが情報画面を示していれば情報画面データを選択し、情報ビットが映像を示していれば映像データを選択して出力するようにしたことを特徴とする請求項１または２に記載の画像合成装置。
【発明の詳細な説明】
【技術分野】
【０００１】
本発明は、映像に文字などの情報を載せた合成画面（オンスクリーンディスプレイ画面とも称し、以下、情報を載せることをＯＳＤと略称する）を出力する画像合成装置に関するものである。
【背景技術】
【０００２】
従来の画像合成装置においては、例えばＯＳＤ画面形成装置から発生したＯＳＤ画面信号を、受信した放送番組の映像信号に同期して生成するとともにマルチプレクサにより重ね合わせて表示されていた（例えば、特許文献１参照）。
【０００３】
この従来に係る画像合成装置を、図１１に基づき説明する。
図１１は画像合成装置例としての外部入力連動映像切替テレビ受信機の構成を示すもので、１０は放送電波を受信して番組を選局しその映像音声信号を出力するチューナ、１５は不揮発性メモリ、２４は操作部、２５は入力信号を選択する入力セレクタ部、２６はＯＳＤ多重部、２７はＰＩＰ（子画面とも称し、ＰＩＣＴＵＲＥ  ＩＮ  ＰＩＣＴＵＲＥの略称）発生部、２８は信号検出部、２９は中央処理装置（以下、ＭＰＵという）である。各外部入力（１）〜（４）においては、複数の表示モードの中の１つのモードが設定され、その設定情報は不揮発性メモリ１５に格納されている。これらの表示モードには、ＰＩＰ表示モード、ＯＳＤ表示モード、全画面表示モードなどが含まれており、内部チューナ１０が受信した映像を表示している間に、上記外部入力に信号が入力されると、その信号が入力されたことを信号検出部２８が検出するとともにＭＰＵ２９に通知され、そして上記外部入力の映像が上記設定された表示モードにて画面に表示される。
【０００４】
モードの設定については、ユーザが操作部２４を操作してＭＰＵ２９に指示を与え、設定画面のモードに入ってユーザが設定することにより設定が行われる。これにより、例えば、チューナ１０からの映像をテレビ画面で表示しているときに、ＯＳＤ表示モードに設定された外部入力の端子に信号が入力されると、例えば録画中であること、または外部チューナが視聴予約を実行中であることなど、その外部入力信号の状態すなわちステータスを示す文字情報がテレビ画面の映像内に合成されて表示される。
【０００５】
ここで、従来における複数の映像をマルチ画面表示してＯＳＤ画面を合成する画像合成装置について、図１０に基づき詳しく説明する。
図１０において、２３は従来の画像合成装置であり、２はアンテナにて受信した放送電波を入力するアンテナ入力端子、３〜５は音声信号およびＮＴＳＣビデオ信号を入力する第１入力端子、６〜８は音声信号および高解像度のアナログ映像信号（例えば、有効な映像ライン数が１０８０であるもの）を入力する第２入力端子である。また、９および１７は入力された映像の画面サイズを変更する第１スケーラおよび第２スケーラであり、例えば第１スケーラ９は、入力された映像信号をディジタル映像データに変換するとともにその画面サイズの変更を映像データの間引きや補間処理にて行う映像データ処理部９１と、マルチ画面を実現するために映像データを一時的に記憶しておくメモリ９２と、入力された映像信号の同期信号を検出する同期信号検出部９３とから構成されている。１０は放送電波を受信して番組を選局しそのアナログ映像音声信号を出力するチューナ、１１はチューナ１０からの映像音声信号および第１入力端子３〜５から入力された映像音声信号のいずれかに切り替えて出力する第１スイッチ、１２は第１スイッチ１１からの映像音声信号および第２入力端子６〜８から入力された映像音声信号のいずれかに切り替えて出力する第２スイッチである。また、１４はＯＳＤ画面信号を形成して出力するＯＳＤ画面形成部、１５は画像合成装置２３が動作するために必要なシステム関連データやユーザ好みの画質設定データ、ボリュームレベルといった可変なパラメータのデータを保持しておくための不揮発性メモリ、１６は画像合成装置２３内の各部を制御するマイクロコントローラ、１８は第１スケーラ９および第２スケーラ１７から入力された複数の映像データから１つの画面を形成するマルチ画面形成部、１９はマルチ画面形成部１８が形成したマルチ画面映像を表示する例えば大画面プラズマパネルを有する表示装置である。さらに、２０は赤外線受光部、２１はユーザが選択したコマンドのリモコン信号を出力し赤外線受光部２０を経由してマイクロコントローラ１６に指示するリモートコントローラ、２２はＯＳＤ画面と映像信号とを合成して出力するＯＳＤ合成部である。
【０００６】
次に、上記画像合成装置２３における動作を、図７を参照して説明する。
ユーザがリモートコントローラ２１を用いてチャンネル選局の指示をすると、マイクロコントローラ１６はチューナ１０に対して選局制御を行い、チューナ１０は指示されたチャンネルの映像音声信号を第１スイッチ１１へ出力する。マイクロコントローラ１６は、第１スイッチ１１が上記チューナ１０からの映像音声信号を第２スイッチ１２へ出力するように切り替えるとともに、当該第２スイッチ１２が上記チューナ１０からの映像音声信号を第１スケーラ９へ出力するように切り替える。第１スケーラ９においては、同期信号検出部９３により、入力された映像信号すなわちチューナ１０が選局して受信した映像信号から同期信号を検出して分離するとともに、その同期信号に同期したクロック信号が生成され、映像データ処理部９１では、そのクロック信号を用いて映像信号に対してアナログ−ディジタル変換により映像データに変換してメモリ９２に出力する。また、映像データ処理部９１は、メモリ９２から映像データを読み込んでマルチ画面形成部１８へ出力し、マルチ画面形成部１８では、入力された映像データをディジタルＲＧＢデータに変換した後、そのディジタルＲＧＢデータをディジタル−アナログ変換によってアナログＲＧＢ信号に変換して出力する。一方、ＯＳＤ画面形成部１４では、例えばユーザが画質設定データの一つであるブライトネス（映像の明るさ）を調整するために、メニューをリコール（画面上に出すこと）したとき、そのメニュー画面を、内蔵する文字フォントデータや背景画面データを用いて、いわゆるＯＳＤ画面として形成して出力するとともに、ＯＳＤ画面領域であることを示すＯＳＤ切替信号およびＯＳＤ画面と映像とをそれぞれ重み付けて合成するためのハーフトーン信号を出力する。ＯＳＤ合成部２２では、マルチ画面形成部１８が出力するアナログ映像ＲＧＢ信号とＯＳＤ画面形成部１４が出力するアナログＯＳＤ画面であるＲＧＢ信号とを、上記ＯＳＤ切替信号およびハーフトーン信号を用いて、ＯＳＤ切替信号だけがＯＳＤ領域を示していればＯＳＤ合成するアナログＯＳＤのＲＧＢ信号を出力し、ハーフトーン信号がアクティブであればアナログ映像ＲＧＢ信号とアナログＯＳＤのＲＧＢ信号とに対して、各信号振幅レベルを重み付け処理して加算するという、一般的な演算処理により合成して出力する。また、上記ＯＳＤ切替信号がＯＳＤ領域を示していなければアナログ映像ＲＧＢ信号を出力する。以上のようにして、選局されて表示された映像にＯＳＤ画面が重ね合わされて、例えば図７の（ａ）に示すように、映像７１にＯＳＤ画面７２が合成された画面が表示装置１９によって表示されることになる。
【特許文献１】特開２００１−１５７１３５号公報（第５頁および図１参照）
【発明の開示】
【発明が解決しようとする課題】
【０００７】
しかしながら、上記従来の構成によると、ＯＳＤ画面と映像信号とを合成するためのＯＳＤ合成部を必要とする問題があった。
また、上記従来の構成によれば、テレビ受信機が有する設定メニューや番組情報などの各種文字情報が存在するＯＳＤ画面を表示する場合に、映像画面にＯＳＤ画面がそのまま重ねられて表示されるために、映像が隠されて見えない領域が存在し、これにより映像全体のイメージがつかめない、または映像内に表示もしくは表現された有意情報を見逃してしまうことがあった。
【０００８】
また、映像信号の解像度に応じてＯＳＤ画面のサイズを変えて表示する場合には、ＯＳＤ画面に表示される文字を構成するためのフォントデータも、映像の解像度に応じたものをそれぞれ記憶しておくか、またはＯＳＤ画面を映像信号の解像度に応じて、拡大もしくは縮小処理するための解像度変換手段すなわちスケーラを用いて、ＯＳＤ画面を拡大もしくは縮小処理して表示する必要があった。
【０００９】
さらに、上記問題を回避するために、映像にＯＳＤ画面を合成せずに、手元のリモコン等にＯＳＤ用の情報データを転送して表示させるようなシステムでは、その情報データをリモートコントローラに送信するための通信手段や、その情報を表示する表示手段を具備する必要があるとともに、リモコン等に設けられた表示領域サイズに依存して、表示される情報量も制限されるという欠点もあった。
【００１０】
そこで、本発明は、上記従来の課題を解決するもので、複数の映像を入力して同時に例えば２つの映像をマルチ画面表示できる映像表示装置において、ＯＳＤ合成部を用いることなく、映像とＯＳＤ画面とを合成することができ、また文字情報などのＯＳＤ画面のサイズを縮小するための専用の解像度変換手段を有することなく、ＯＳＤ画面と映像とをマルチ画面表示し得る画像合成装置を提供することを目的とする。
【課題を解決するための手段】
【００１１】
上記課題を解決するために、本発明の請求項１に係る画像合成装置は、画像表示部に映像とともに文字などの情報を表示するための画像合成装置であって、
第１の映像信号および情報信号のいずれかを選択して出力する切替手段と、
この切替手段から入力された第１の映像または情報の画面サイズを拡大または縮小処理により変更して出力する第１の映像処理手段と、
第２の映像を入力して拡大または縮小処理により映像の画面サイズを変更して出力する第２の映像処理手段と、
文字などの情報信号を、上記第１の映像信号または第２の映像信号に同期して生成する情報画面形成手段と、
上記第１の映像処理手段により画面サイズが変更された第１の映像および上記第２の映像処理手段により画面サイズが変更された第２の映像を入力して、マルチ画面を形成して出力するマルチ画面形成手段とを備え、
上記情報画面形成手段においては、第１の映像信号または第２の映像信号の同期信号に同期して上記切替手段に切替信号を出力するようになし、
上記第１の映像と第２の映像とをマルチ画面表示しているときに情報画面を表示させる場合、または第２の映像だけを表示しているときに情報画面を表示させる場合には、上記切替手段にて情報信号を第１の映像処理手段に出力して、上記マルチ画面形成手段により、情報画面と第２の映像とをマルチ画面表示させるようにしたものである。
【００１２】
また、請求項２に係る画像合成装置は、画像表示部に映像とともに文字などの情報を表示するための画像合成装置であって、
第１の映像信号および情報信号のいずれかを選択して出力する切替手段と、
この切替手段から入力された映像または情報の画面サイズを拡大または縮小処理により変更して出力する第１の映像処理手段と、
第２の映像を入力して拡大または縮小処理により映像の画面サイズを変更して出力する第２の映像処理手段と、
文字などの情報信号を、上記第１の映像または第２の映像に同期して生成する情報画面形成手段と、
上記第１の映像処理手段により画面サイズが変更された映像および上記第２の映像処理手段により画面サイズが変更された映像を入力して、マルチ画面を形成して出力するマルチ画面形成手段とを備え、
上記情報画面形成手段においては、第１の映像信号または第２の映像信号の同期信号に同期して、上記切替手段に切替信号を出力するようになし、
上記切替手段においては、上記切替信号に従って第１の映像信号と情報信号とを切り替えて出力するようになし、
上記第１の映像処理手段においては、上記切替信号が第１の映像信号期間を示す場合には、第１の映像のスケール係数によって当該映像のサイズを変更して出力するようになし、上記切替信号が情報信号期間を示す場合には、情報画面のスケール係数によって当該情報の画面サイズを変更して出力するようになし、
上記マルチ画面形成手段においては、第１の映像および情報画面と、第２の映像とをマルチ画面に形成するようにしたものである。
【００１３】
また、請求項３に係る画像合成装置は、請求項１または２に記載の装置の第１の映像処理手段においては、切替手段から入力される第１の映像信号または情報信号の入力とは異なる信号経路により入力された第１の映像に係る同期信号を検出するようにしたものである。
【００１４】
また、請求項４に記載の画像合成装置は、請求項１または２に記載の装置のマルチ画面形成手段においては、画面サイズが変更された第１の映像および画面サイズが変更された情報並びに上記画面サイズが変更された第２の映像データを、一時的に保持する記憶部を有するとともに、この記憶部から映像データを読み出して合成するようにしたものである。
【００１５】
さらに、請求項５に係る画像合成装置は、請求項１または２に記載の装置のマルチ画面形成手段においては、映像データに情報画面を重ね合わせる際に、映像データの一部のビットを情報画面データであることを示す情報ビットに置き換えるか、または新しく情報ビットを設けることにより、情報ビットが情報画面を示していれば情報画面データを選択し、情報ビットが映像を示していれば映像データを選択して出力するようにしたものである。
【発明の効果】
【００１６】
本発明の画像合成装置によれば、外部から入力された複数の映像をマルチ画面表示処理する機能を用いて、すなわち従来の文字などの情報を合成する合成部を用いることなく、映像と文字などの情報画面とを合成することができる。
【００１７】
また、同様に、従来のマルチ画面表示機能を用いて、映像と文字などの情報画面とを並べて１つの画面上に表示することができ、したがって映像に文字情報が重ならないように表示することができる。
【００１８】
また、本発明の画像合成装置によれば、映像信号の解像度に応じて、情報画面のサイズを変更して表示する場合、情報画面に表現される文字を構成するためのフォントデータも、情報画面を映像信号の解像度に応じて、拡大または縮小処理するための解像度変換手段を追加することなく、既存の画面サイズを変更するスケーラを用いて情報画面を拡大もしくは縮小処理して表示することができる。
【００１９】
さらに、映像が表示される表示装置とは別に、情報画面を表示する、例えば情報の表示画面が搭載されたリモートコントローラにおける情報画面を表示するための専用の通信手段や、その情報を表示するための表示手段を用いることなく、映像と情報画面とを同一画面上に並べて表示することができる。
【発明を実施するための最良の形態】
【００２０】
以下、本発明の画像合成装置の実施の形態について詳細に説明する。
本発明の要旨は文字情報などを他の映像に合成する部分にあるため、これ以外の構成については、従来例で説明した図１０に示した構成とほぼ同一であるため、以下に示す実施の形態においては、同一の符号を付してその説明を簡単に行うものとする。また、従来例にて述べたように、この文字情報に関する画面をオンスクリーンディスプレイ（以下、ＯＳＤと称す）画面と称する。したがって、このオンスクリーンディスプレイに関する語句についても、ＯＳＤという語句をその頭に冠して説明を行う。
［実施の形態１］
以下、実施の形態１に係る画像合成装置を、図面に基づき説明する。
【００２１】
図１は、本実施の形態１に係る画像合成装置の概略構成を示すブロック図である。
図１において、１は画像合成装置であり、２はアンテナにて受信した放送電波を入力するアンテナ入力端子、３〜５は映像音声信号を入力する第１入力端子、６〜８は音声信号および高解像度のアナログ映像信号を入力する第２入力端子である。なお、本発明の要旨は映像の部分にあるため、以下においては、映像信号だけについて説明し、音声信号についてはその説明を省略する。
【００２２】
９および１７は映像信号を入力してその画面サイズを拡大または縮小処理する第１スケーラ（第１の映像処理手段）および第２スケーラ（第２の映像処理手段）である。
この第１スケーラ９は、アナログの映像信号を入力してデジタル信号に変換するとともに拡大または縮小処理を行う映像データ処理部９１と、この映像データ処理部９１で処理された映像データを一時的に記憶しておくメモリ（記憶部）９２と、映像信号を入力してその同期信号を検出する同期信号検出部９３とから構成されている。なお、第２スケーラ１７についても、図示しないが、第１スケーラ９と同様に、映像データ処理部と、メモリと、同期信号検出部とから構成されている。
【００２３】
１０はアンテナ入力端子２から入力された放送電波を選局するチューナ、１１はチューナ１０側および第１入力端子３〜５側のいずれかに切り替えるための第１スイッチ１１、１２は第１スイッチ１１側および第２入力端子６〜８側のいずれかに切り替えるための第２スイッチ、１３は第２スイッチ１２が出力した映像信号とＯＳＤ画面形成部（後述する）１４から出力されたＯＳＤ画面信号とのいずれかに切り替えて出力するための切替スイッチ（切替手段）である。
【００２４】
また、１５は不揮発性メモリ（記憶部）、１６はマイクロコントローラ、１９はディスプレイなどの表示装置（画像表示部）、２０は赤外線受光部、２１はリモートコントローラであり、これらの説明については、以下に示す動作説明中で行う。
【００２５】
上記ＯＳＤ画面形成部（情報画面形成手段）１４は、リモートコントローラ２１からの指示により、マイクロコントローラ１６を介して不揮発性メモリ１５に記憶された文字情報を読み込み当該文字情報に係る情報データの画面（ＯＳＤ画面である）を形成する機能を有するものである。
【００２６】
次に、上記画像合成装置１における動作を、図１および図８を用いて説明する。上述したように、音声信号の処理については、その説明を省略する。
ユーザがリモートコントローラ２１を用いてチャンネル選局の指示をすると、マイクロコントローラ１６はチューナ１０に対して選局制御を行い、当該チューナ１０は指示されたチャンネルの映像信号を第１スイッチ１１に出力する。さらに、マイクロコントローラ１６は、上記チューナ１０からの映像信号を第２スイッチ１２へ出力するように第１スイッチ１１に切替信号を出力するとともに、第２スイッチ１２に、第１スイッチ１１からの信号すなわちチューナ１０からの映像信号を第１スケーラ９に出力するように切替信号を出力する。
【００２７】
そして、第１スケーラ９の同期信号検出部９３においては、入力された映像信号、すなわちチューナ１０が選局した映像信号から同期信号を検出し分離するとともに、その同期信号に同期したクロック信号を生成し、映像データ処理部９１では、そのクロック信号を用いて映像信号に対してアナログ−ディジタル変換を行い、映像データに変換してメモリ９２に一時的に記憶させるとともに、当該映像データ処理部９１は、メモリ９２から映像データを読み込みマルチ画面形成部（マルチ画面形成手段）１８に出力する。
【００２８】
このマルチ画面形成部１８では、入力された映像データをディジタルＲＧＢデータに変換した後、このＲＧＢデータをディジタル−アナログ変換によってアナログＲＧＢ信号に変換して表示装置１９に出力し、アナログＲＧＢ信号の映像を画面に表示する。
【００２９】
このようにして、番組の１つの映像が表示装置１９に表示されることになる。
以上は、チューナ１０からの映像を表示する場合について説明したが、勿論、第１入力端子３〜５に入力される映像信号についても、第１スイッチ１１および第２スイッチ１２を切り替えることにより、表示装置１９にその映像を表示することができる。
【００３０】
次に、上述したように１つの映像（第１の映像とも称する）が表示されている際に、さらに別の映像（第２の映像とも称する）を表示する場合について説明する。
この場合、上記と同様に、ユーザによって選択指示された第２の映像信号が、第１スイッチ１１および第２スイッチ１２を介して、第２スケーラ１７に入力され、ここで、第１スケーラ９で行われているのと同様の処理が行われ、第２の映像データが作成される。
【００３１】
そして、両スケーラ９，１７にて得られた映像データが、マルチ画面形成部１８に入力され、ここで、第１の映像と第２の映像とが、子画面（ＰＩＰ表示）、または画面内に並置されたスプリット画面として、従来と同様のマルチ画面処理技術を用いてマルチ画面表示される。すなわち、第１の映像と第２の映像とが同時に表示される。
【００３２】
次に、第１の映像だけが表示されている際に、ＯＳＤ画面を表示する場合について説明する。
この場合、第２スイッチ１２により、第１の映像信号が第２スケーラ１７に出力されるとともに、第２スケーラ１７が検出した同期信号をＯＳＤ画面形成部１４へ出力する（図示せず）。
【００３３】
ＯＳＤ画面形成部１４では、その同期信号に同期してＯＳＤ画面信号を形成して出力するとともに、このＯＳＤ画面信号を第１スケーラ９に出力するように切替信号を切替スイッチ１３に出力する。第１スケーラ９では、入力されたＯＳＤ画面信号に、上述した第１の映像信号に対して行ったと同様の画面サイズの変更などの処理を施してマルチ画面形成部１８に出力し、そして表示装置１９においては、例えば、図８の（ａ）に示すように、画面の左半分にＯＳＤ画面、画面の右半分には映像画面が表示される。また、場合によっては、図８の（ｂ）に示すように、図８の（ｂ）とは逆に、ＯＳＤ画面と映像とを入れ替えて表示することもできる。この入れ替えについては、既存の技術で行われている画面入れ替え操作により容易に実現することができる。さらに、従来の方法を用いて、図８の（ｃ）に示すように、ＯＳＤ画面を小さなサイズにして、子画面表示を行うこともできる。
【００３４】
なお、上記マルチ画面形成部１８においては、画面サイズが変更された第１の映像データおよび画面サイズが変更されたＯＳＤ画面データ、並びに画面サイズが変更された第２の映像データを、一時的に保持するメモリ（記憶部）が設けられており、このメモリから映像データが読み出されて合成が行われるようにされている。すなわち、マルチ画面形成部１８には、両スケーラ９，１７からのデータを一時的に保持するメモリが設けられている。
【００３５】
以上は、映像信号がアナログ信号であり、アナログ−デジタル変換して処理する場合について述べたが、入力される信号がディジタルであっても、適用することができる。
また、上記第１スケーラ９が行う同期信号の検出に関しては、切替スイッチ１３から入力される信号経路とは異なる経路から入力された第１の映像信号から、同期信号の検出を行うような構成であってもよい。
【００３６】
このように、本実施の形態１においては、ＯＳＤ画面信号を、外部から入力された映像を処理する第１スケーラ部９へ、切替スイッチ１３を介して入力することにより、従来例で説明したＯＳＤ合成部を用いなくても、容易に、ＯＳＤ画面と映像とをマルチ画面表示することができる。
【００３７】
また、このような構成により、映像信号の解像度に応じて、ＯＳＤ画面のサイズを変えて表示する場合、外部から入力された映像を処理する第１スケーラ９によって、画面サイズを変更することが可能となり、ＯＳＤ画面に表現される文字を構成するためのフォントデータも１種類のサイズのもので十分であり、内蔵すべきフォントのデータ量を最小限に抑えることができる。
【００３８】
また、入力される映像信号（ビデオ信号）の入力形式は、コンポジット信号や色差信号（輝度信号Ｙおよび色信号ＰＢＰＲ）などの種別を問わない。つまり、映像データ処理部９１においては、例えば色差信号ＹＰＢＰＲをアナログまたはディジタルにてＲＧＢ信号に変換する処理、またはその逆の変換処理が行われるため、入力される映像信号とＯＳＤ画面信号との入力形式が異なっていても、一方に対して上記変換のいずれかを行うことにより、容易に形式を統一することができる。
【００３９】
さらに、上記実施の形態１において、マルチ画面形成部１８の後段に、従来例で説明したＯＳＤ合成部をさらに設けることにより、本発明の表示方式とともに、映像とＯＳＤ画面とを重ね合わせた従来の画面表示も、選択的に行い得るようにしてもよい。
［実施の形態２］
次に、実施の形態２に係る画像合成装置を、図面に基づき説明する。
【００４０】
上述した実施の形態１と異なる箇所は、スケーラ部分にあるため、本実施の形態２においては、実施の形態１で説明した図１を用いて説明する。図２はスケーラ部分の構成を示すブロック図である。
【００４１】
本実施の形態２と実施の形態1と異なる箇所は、図１に示す映像データ処理部９１において、図２に示すように、バス切替スイッチ９１２を設けた点である。すなわち、９１１は映像データ処理部９１内に配置されるとともに入力されたアナログ映像信号をディジタル映像データに変換するＡＤ（アナログ−ディジタル）変換部であり、９１３はＡＤ変換部９１１により変換されたディジタル映像データ用の１０ビットデータバスであり、９１４は上記１０ビットディジタル映像データバスの中の下位２ビットのデータバスであり、９１５はＯＳＤ画面形成部１４が出力するＯＳＤ有効時間を示す信号（以下、ＹＳ信号と称する）およびハーフトーンであることを示す信号（以下、ＹＭ信号と称する）のＯＳＤ用信号線であり、９１６はＯＳＤ画面信号であるか切替スイッチ１３から入力された映像信号であるかを切り替えるために映像信号期間またはＯＳＤ画面信号期間（情報信号期間）を示す切替信号を出力する切替用信号線であり、９１７は切り替えられた２ビットのデータバスであり、９１８は上記ディジタル映像データの上位８ビットラインおよび上記切り替えられた２ビットラインからなるデータバスであり、映像データを処理する内部の各部に接続されている。
【００４２】
次に、本実施の形態２に係る画像合成装置１での動作について、図１〜図７および図９を用いて説明する。
なお、ここでは、実施の形態１と異なる箇所に着目して説明するものとし、実施の形態１にて説明した箇所については、その説明を省略する。
【００４３】
第１の映像と第２の映像をＰＩＰまたはスプリット表示などのマルチ画面表示することについては、実施の形態１で説明したとおりであるため、この２つの映像が同時に表示されている状態から、さらにＯＳＤ画面をスプリット画面に合成する場合について説明する。
【００４４】
このとき、第１の映像は第１スケーラ９に入力されて処理されるとともに第２の映像は第２スケーラ１７に入力されて処理が行われ、これら両スケーラ９，１７からの映像がマルチ画面形成部１８に入力されて、表示装置１９にてスプリット表示が行われているものとする（図７の（ｂ）、特に同図の映像７３を参照）。
【００４５】
第１スケーラ９には、図３の（ａ）に示されるように、第１の映像の映像フレーム３１が全て入力される。この映像フレーム信号には、同期信号であるフレームに同期したパルスも含まれている。
【００４６】
ここで、さらにＯＳＤ画面を表示する指示が、リモートコントローラ２１によってなされると、ＯＳＤ画面形成部１４は入力された同期信号に同期してＯＳＤ画面信号を形成して出力するとともに、フレームごとに切替信号を切替スイッチ１３に出力する。この切替信号により、切替スイッチ１３は、図３の（ｂ）に示すような映像フレーム３１とＯＳＤ画面３２とが交互に入れ替わった信号を第１スケーラ９に出力する。この切替スイッチ１３は、例えば図４の（ａ）に示すように、ＯＳＤ画面信号３４中のＯＳＤ画面部が第１スケーラ９に入力されている場合においても、第１の映像信号３３の同期信号期間（図４中に示している）中は、映像信号の同期パルスが第１スケーラ９に入力されるような切替信号３５によって切り替えられるため、第１スケーラ９は安定して同期信号を検出することができる。なお、図４の（ａ）に示される信号３４は、同期パルス信号が重畳されたＯＳＤ画面信号のグリーン信号の例を示し、図４の（ｂ）に示される信号３６は、同期パルス信号が重畳されていないＯＳＤ画面信号のグリーン信号の例を示している。なお、上記切替信号は、図３の（ｂ）に示すように、映像フレーム３１とＯＳＤ画面３２とを１枚ずつ交互に表示するものであるが、映像フレーム３１とＯＳＤ画面３２の単位時間当たりの比率を、例えば映像フレーム３１の数が多くなるようなものであってもよい。これは、フレーム数をカウントすることで容易に実現できる。また、映像フレームの替わりに、映像フレームを構成するインターレース方式の映像フィールドであってもよい。
【００４７】
第１スケーラ９は、上記のようにして入力された映像信号とＯＳＤ画面信号とを、交互に、且つアナログからディジタルデータに変換して、図５に示されるように、メモリ９２上に配置する。このとき、ＯＳＤ画面に対してはスケール係数ＡによってＯＳＤ画面のサイズが変更され、映像信号に対してはスケール係数Ｂによって画面のサイズが変更される。このスケール係数ＡおよびＢは、画面の縦方向および横方向の拡大率もしくは縮小率を表すものであり、マイクロコントローラ１６が、既存のマルチ画面を形成する場合と同じように、第１スケーラ９および第２スケーラ１７に指示する。なお、ＯＳＤの画面サイズを変更する場合、マイクロコントローラ１６は、ＯＳＤの画面サイズ情報を有しているため、その拡大率もしくは縮小率を決定して各スケーラに指示する。
【００４８】
図５の（ａ）および（ｂ）は、映像データおよびＯＳＤ画面データがメモリ９２内に配置される状態を示しており、５３はデータが記憶されるメモリセルを表し、５１および５２はメモリ９２内のセルが配置された列方向および行方向を示す軸である。また、図５の（ａ）は、第１の映像データだけが記憶されている状態を示し、図５の（ｂ）は上記第１の映像データおよびＯＳＤ画面データが記憶されている状態を示す。このように、第１スケーラ９は、メモリ９２内に映像データおよびＯＳＤ画面データを記憶するとともに、このメモリ９２内のデータを読み出して１つの画面データとしてマルチ画面形成部１８へ出力する。マルチ画面形成部１８は、第２スケーラ１７から入力された映像データと、第１スケーラ９から入力された映像およびＯＳＤデータとから、ＯＳＤ画面が表示されたスプリット画面（図７の（ｃ）参照）を形成して、表示装置１９に出力する。
【００４９】
このようにして、第１スケーラ９および第２スケーラ１７の２つを用いて、第１の映像および第２の映像、並びにＯＳＤ画面をマルチ画面表示することができる。
ここでは、スプリット表示する場合について説明したが、ＰＩＰ表示する場合も同様である。
【００５０】
次に、第１の映像および第２の映像をマルチ画面表示しているときに、ＯＳＤ画面を従来のように重ね合わせて表示する場合には、上述したように、バス切替スイッチ９１２を用いて映像データの一部（バスの一部）を、ＯＳＤ画面を重ね合わせるために必要なＯＳＤ用情報ビットとして、ＹＭ信号およびＹＳ信号に置き換える。
【００５１】
すなわち、映像データが内部で使用するクロック６１に同期して伝送されるときは、図６の（ａ）に示すようなビット配置を有しており、同図中、Ｖ０は最下位ビットで、ビット０はＶ０、ビット１はＶ１、ビット２はＶ２、ビット９はＶ９で示している。なお、同図においては、ビット３〜ビット８は省略している。これに対し、ＯＳＤ画面データを伝送するときは、図６の（ｂ）に示すように、下位２ビットをＹＭ信号およびＹＳ信号で置き換えて伝送し、この２つの信号ビットを用いて、第１スケーラ９は、映像とＯＳＤ画面との合成処理を行う。なお、ＯＳＤ画面は映像データと同等な階調は必要とされないため、下位ビットをＯＳＤ用情報ビットとして使用しても支障はない。
【００５２】
このとき、メモリ９２には、図９の（ａ）に示すように、ＯＳＤ画面データと映像データとが重ね合わされたデータとして記憶されるが、下位２ビットについては、ＹＭおよびＹＳ信号ビットが記憶されており、そしてこのメモリ９２からデータが読み出されてマルチ画面形成部１８へ出力されたときに、マルチ画面形成部１８では、このＹＭおよびＹＳ信号ビットを用いて、第２スケーラ１７からの第２の映像にさらにＯＳＤ画面の重ね合わせを行う。すなわち、両スケーラ９，１７からの映像にＯＳＤ画面を重ね合わせることができる。勿論、マルチ画面形成部１８においては、映像データにＯＳＤ画面を重ね合わせる際に、情報ビットがＯＳＤ画面を示していればＯＳＤ画面データを選択し、情報ビットが映像を示していれば映像データを選択して出力する機能を有している。
【００５３】
以上は、映像信号がアナログ信号でありＡＤ変換して処理する場合について説明したが、入力される信号がディジタル信号であっても同様である。
また、上記説明においては、ＹＳおよびＹＭ信号を下位ビットの部分に置き換えたが、メモリ９２の容量に余裕がある場合には、ビットの拡張を行い、それにＹＭおよびＹＳ信号を割り当てて処理を行ってもよい。
【００５４】
このようにして、第１の映像および第２の映像がマルチ表示されている画面内に、ＯＳＤ画面を重ね合わせて図９の（ｂ）のように表示すること、および上述した実施の形態１にて説明したように、映像とＯＳＤ画面とをスプリット表示することができ、さらに従来のように、映像にＯＳＤ画面を重ね合わせることができる。
【産業上の利用可能性】
【００５５】
上記本発明の画像合成装置によれば、映像画像に文字情報などを表示する際に、互いに重なることなく表示することができるので、ビデオを見ている最中に、操作情報などの他の情報が表示されても、映像の一部が隠れてイメージがつかめない、または映像内に表示された有意情報を見逃してしまうようなことがないため、例えばビデオ装置、ハイビジョンテレビなど、映像を表示し得る装置に適用することができる。
【図面の簡単な説明】
【００５６】
【図１】本発明の実施の形態に係る画像合成装置の概略構成を示すブロック図である。
【図２】本発明の実施の形態２に係る画像合成装置における第１スケーラの要部構成を示す図である。
【図３】同実施の形態２に係る画像合成装置における映像またはＯＳＤ画面のフレームの配置状態を示す図である。
【図４】同実施の形態２に係る画像合成装置における映像信号、ＯＳＤ画面信号および切替信号の波形図である。
【図５】同実施の形態２に係る画像合成装置でのメモリ状態を説明する図である。
【図６】同実施の形態２に係る画像合成装置におけるデータ内容を説明する図である。
【図７】同実施の形態に係る画像合成装置における映像およびＯＳＤ画面の表示例を示す図である。
【図８】同実施の形態１に係る画像合成装置における映像およびＯＳＤ画面の表示例を示す図である。
【図９】同実施の形態２に係る画像合成装置における映像とＯＳＤ画面のメモリ状態および表示例を示す図である。
【図１０】従来例に係る映像合成装置の構成を示すブロック図である。
【図１１】従来例に係る映像合成装置の要部構成を示すブロック図である。
【符号の説明】
【００５７】
１      画像合成装置
２      アンテナ入力端子
３〜５    第１入力端子
６〜８    第２入力端子
９      第１スケーラ
１０      チューナ
１１      第１スイッチ
１２      第２スイッチ
１３      切替スイッチ
１４      ＯＳＤ画面形成部
１８      マルチ画面形成部
１９      表示装置
２２      ＯＳＤ合成部
７１      第１の映像画面
７２      ＯＳＤ画面
７３      第２の映像画面
９１      映像データ処理部
９２      メモリ
９３      同期信号検出部
９１１    アナログ−ディジタル変換部
９１２    バス切替スイッチ
９１３    映像データバス
９１４    映像データバス
９１５    ＯＳＤ用情報ビット
９１６    切替用信号線
【図１】
2005184705.tif 000003
【図２】
2005184705.tif 000004
【図３】
2005184705.tif 000005
【図４】
2005184705.tif 000006
【図５】
2005184705.tif 000007
【図６】
2005184705.tif 000008
【図７】
2005184705.tif 000009
【図８】
2005184705.tif 000010
【図９】
2005184705.tif 000011
【図１０】
2005184705.tif 000012
【図１１】
2005184705.tif 000013